(57)【要約】【課題】繰り出しローラに載っているロール紙から記録紙を手作業によって引き出す際に繰り出しローラがブレーキとなってロール紙がロール紙収納部から転がり出ることのないロール紙供給機構を提案すること。【解決手段】ロール紙プリンタ１のロール紙供給機構３にはロール紙２を繰り出し方向２Ａに回転させる繰り出しローラ３３が備わっており、旋回式の切換機構４０を介して駆動モータ３６から回転力が繰り出しローラ３３に伝達される。ロール紙２から記録紙２ａを手作業で引き出す際には、繰り出しローラ３３に繰り出し方向３３Ａへの回転力が作用する。この回転力によって切換機構４０の切換レバー４２が旋回して回転力伝達経路が切り離され、繰り出しローラ３３がロール紙２に追従してスムーズに回転する。【選択図】図２
2009096578.tif 000002
【特許請求の範囲】
【請求項１】
長尺状の記録紙が巻き付けられた構成のロール紙を収納するロール紙収納部と、
このロール紙収納部に収納されるロール紙の外周面に接触状態に保持され、前記ロール紙を記録紙繰り出し方向に回転させるための繰り出しローラと、
この繰り出しローラを回転させる繰り出しモータと、
前記繰り出しモータの回転力を前記繰り出しローラに伝達するための回転力伝達経路と、
前記ロール紙の側から前記繰り出しローラに対して前記記録紙繰り出し方向に回転力が作用すると、当該繰り出しローラを前記回転力伝達経路から切り離す切断機構とを有していることを特徴とするロール紙供給機構。
【請求項２】
請求項１に記載のロール紙供給機構において、
前記切断機構は、前記繰り出しモータの回転力が伝達される入力側歯車と、この入力側歯車の回転中心線を中心として旋回可能な切換レバーと、この切換レバーに回転自在に取り付けられていると共に前記入力側歯車に常に噛み合っている切換歯車とを備え、
前記回転力伝達経路は、前記切換レバーが一方に旋回すると前記切換歯車に噛み合い可能な伝達歯車を備えていることを特徴とするロール紙供給機構。
【請求項３】
請求項１に記載のロール紙供給機構において、
前記切断機構はワンウエイクラッチであることを特徴とするロール紙供給機構。
【請求項４】
請求項１に記載のロール紙供給機構において、
前記ロール紙収納部に収納されるロール紙の外周面に接触状態に保持され、前記ロール紙を記録紙巻取り方向に回転させるための巻取りローラと、
前記繰り出しモータの回転力を前記巻取りローラに伝達するための第２回転力伝達経路とを備えていることを特徴とするロール紙供給機構。
【請求項５】
請求項４に記載のロール紙供給機構において、
前記切断機構として切換機構を有しており、
この切換機構は、
前記繰り出しモータの回転力が伝達される入力側歯車と、この入力側歯車の回転中心線を中心として旋回可能な切換レバーと、前記切換レバーに回転自在に取り付けられていると共に前記入力側歯車に常に噛み合っている切換歯車とを備えており、
前記回転力伝達経路は、前記切換レバーが一方に旋回すると前記切換歯車に噛み合い可能な繰り出しローラ側伝達歯車を備えており、
前記第２回転力伝達経路は、前記切換レバーが反対方向に旋回すると前記切換歯車に噛み合い可能な巻取りローラ側伝達歯車を備えており、
前記ロール紙の側から、前記繰り出しローラまたは前記巻取りローラに対して、前記記録紙繰り出し方向または前記記録紙巻取り方向の回転力が作用すると、前記切換レバーが前記繰り出しローラ側伝達歯車または前記巻取りローラ側伝達歯車から離れる方向に旋回することを特徴とするロール紙供給機構。
【請求項６】
請求項１ないし５のうちのいずれかの項に記載のロール紙供給機構を有していることを特徴とするロール紙プリンタ。
【発明の詳細な説明】
【技術分野】
【０００１】
本発明は、ロール紙収納部に収納されたロール紙の外周面に接触状態に保持され、当該ロール紙を繰り出し方向に回転させるための繰り出しローラを備えたロール紙供給機構およびロール紙プリンタに関する。さらに詳しくは、ロール紙収納部に収納したロール紙から記録紙を引き出す操作を簡単に行うことができるようにしたロール紙供給機構およびロール紙プリンタに関する。
【背景技術】
【０００２】
レシートなどを発行するロール紙プリンタでは、記録媒体として、長尺状の記録紙をロール状に巻き付けた構成のロール紙が用いられている。ロール紙は回転可能な状態でロール紙収納部に収納され、紙送りローラによって、ロール紙から記録紙が引き出されて、印刷位置において印刷ヘッドによって印刷が施される。一般に、紙送りローラによる紙送りと、印刷ヘッドによる印刷が交互に繰り返されて、紙送り方向に沿って所定のピッチで印刷が施される。
【０００３】
ここで、ロール紙がロール紙収納部に転動可能な状態で置かれているロール紙供給機構では、紙送りローラによって記録紙が搬送方向に引かれると、それに追従して、ロール紙がロール紙収納部内においてその中心軸線回りに回転して記録紙が繰り出される。したがって、ロール紙の慣性負荷、および、ロール紙とロール紙収納部の底面との間の摩擦力に抗して、ロール紙を回転させて記録紙を繰り出す必要がある。
【０００４】
紙送り速度を上げると、それに伴って紙送りローラに作用する紙送り負荷も大きくなり、紙送りローラに滑りが生じ、紙送り精度が低下するおそれがある。紙送り負荷を低減して、正確な紙送りを行うために、特許文献１、２に開示されているように、ロール紙収納部の底に繰り出しローラを配置したロール紙供給機構が提案されている。
【特許文献１】特開２００７−２０３５６３号公報
【特許文献２】特開２００７−２０３５６４号公報
【発明の開示】
【発明が解決しようとする課題】
【０００５】
繰り出しローラを備えたロール紙供給機構においては、次のような解決すべき課題がある。ロール紙交換時などにおいては、ロール紙収納部に収納した新たなロール紙から記録紙を引き出して、印刷位置を経由する搬送路に沿って配置するロール紙セット作業が必要である。ロール紙は繰り出しローラに載った状態でロール紙収納部に収納されており、繰り出しローラは歯車列などからなる回転力伝達経路を介してモータに連結されている。したがって、繰り出しローラには回転力伝達経路側から回転負荷が作用しており、記録紙の引き出し時にロール紙に追従して回転できない。
【０００６】
このため、操作者がロール紙をセットした後記録紙を引き出す際にはロール紙の回転が伴うが、繰り出しローラとロール紙の摩擦力によってロール紙の回転にブレーキが掛かってしまう。この結果、記録紙を引き出す力によってロール紙が全体として引っ張られて浮き上がり、ロール紙収納部から引き出し方向に転がり出てしまう。これを防止するために、ロール紙セット作業においては、ロール紙がロール紙収納部から転がり出ないように一方の手でロール紙を押さえながら、他方の手でロール紙から所定長さ分だけ記録紙を引き出す操作が必要になる。このため、繰り出しローラを備えたロール紙供給機構においては、ロール紙セット作業を片手で簡単に行うことができないという不便さがある。
【０００７】
本発明の課題は、繰り出しローラに載っているロール紙から記録紙を引き出す際にロール紙がロール紙収納部から転がり出ることを防止できるようにしたロール紙供給機構、および、当該ロール紙供給機構を備えたロール紙プリンタを提案することにある。
【課題を解決するための手段】
【０００８】
上記の課題を解決するために、本発明のロール紙供給機構は、
長尺状の記録紙が巻き付けられた構成のロール紙を収納するロール紙収納部と、
このロール紙収納部に収納されるロール紙の外周面に接触状態に保持され、前記ロール紙を記録紙繰り出し方向に回転させるための繰り出しローラと、
この繰り出しローラを回転させる繰り出しモータと、
前記繰り出しモータの回転力を前記繰り出しローラに伝達するための回転力伝達経路と、
前記ロール紙の側から前記繰り出しローラに対して前記記録紙繰り出し方向の回転力が作用すると、当該繰り出しローラを前記回転力伝達経路から切り離す切断機構とを有していることを特徴としている。
【０００９】
本発明のロール紙供給機構においては、ロール紙収納部に入れたロール紙から記録紙を操作者が引き出すと、これに伴ってロール紙が記録紙繰り出し方向に回転する。ロール紙がこの方向に回転しようとすると、切断機構によって、繰り出しローラと繰り出しモータの間の回転力伝達経路が切断される。この結果、繰り出しローラには回転力伝達経路の側からの回転負荷が作用しなくなるので、ロール紙の回転に追従して記録紙繰り出し方向にスムーズに回転可能になる。したがって、ロール紙が繰り出しローラに接触した状態のままでその中心軸線回りにスムーズに回転するので、記録紙を小さな引張り力で簡単に引き出すことができる。よって、記録紙を引き出す際にロール紙がロール紙収納部から転がり出ることがない。
【００１０】
ここで、前記切断機構を、前記繰り出しモータの回転力が伝達される入力側歯車と、この入力側歯車の回転中心線を中心として旋回可能な切換レバーと、この切換レバーに回転自在に取り付けられていると共に前記入力側歯車に常に噛み合っている切換歯車とを備えた構成のものとすることができる。この場合には、前記回転力伝達経路には、前記切換レバーが一方に旋回すると前記切換歯車に噛み合い可能な伝達歯車を配置しておけばよい。
【００１１】
繰り出しモータが記録紙繰り出し方向に回転すると、入力側歯車が回転し、これに噛み合っている切換歯車も回転する。この場合、入力側歯車が切換レバーを伝達歯車に押し付ける方向に回転し、切換レバーに取り付けられている切換歯車が伝達歯車に噛み合った状態に保持され、回転力が繰り出しローラに伝達される。ロール紙の側から繰り出しローラに対して記録紙繰り出し方向の回転力が作用すると、伝達歯車の側から切換歯車に作用する回転力によって切換レバーが伝達歯車から離れる方向に旋回し、ここに支持されている切換歯車が伝達歯車から離れる。よって、繰り出しローラは駆動側の回転負荷を受けることなく、ロール紙に追従して記録紙繰り出し方向にスムーズに回転する。
【００１２】
また、前記切断機構としてワンウエイクラッチを用いることができる。ワンウエイクラッチを介して、繰り出しモータの側から、繰り出しローラを記録紙繰り出し方向に回転させる回転力が当該繰り出しローラに伝達させることができ、繰り出しモータが逆方向に回転する状態ではワンウエイクラッチが切断される。換言すると、繰り出しローラの側を繰り出し方向に回転させようとすると、ワンウエイクラッチの作用によって回転力伝達経路が切断され、繰り出しローラは、駆動側の回転負荷を受けることなくスムーズに回転可能になる。
【００１３】
次に、ロール紙から繰り出されている記録紙に弛みが発生した場合などにおいては、ロール紙を繰り出し方向とは逆の巻取り方向に回転させて、弛みを除去できるようにすることが望ましい。このためには、ロール紙収納部に巻取りローラを配置し、当該ロール紙収納部に収納されるロール紙の外周面に巻取りローラを接触状態に保持し、必要に応じて巻取りローラを回転させてロール紙を巻き取り方向に回転させればよい。
【００１４】
この場合には、繰り出しローラの駆動源である繰り出しモータの回転力を巻取りローラに伝達するための第２回転力伝達経路を配置すると共に、切断機構として切換機構を配置すればよい。この切換機構を、繰り出しモータの回転力が伝達される入力側歯車と、この入力側歯車の回転中心線を中心として旋回可能な切換レバーと、この切換レバーに回転自在に取り付けられていると共に入力側歯車に常に噛み合っている切換歯車とを備えた構成のものとし、回転力伝達経路には、切換レバーが一方に旋回すると切換歯車に噛み合い可能な繰り出しローラ側伝達歯車を配置し、第２回転力伝達経路には、切換レバーが反対方向に旋回すると切換歯車に噛み合い可能な巻取りローラ側伝達歯車を配置しておけばよい。
【００１５】
この構成のロール紙供給機構においては、繰り出しモータが記録紙繰り出し方向に回転すると、入力側歯車が回転し、これに噛み合っている切換歯車も回転する。この場合には、入力側歯車が切換レバーを伝達歯車に押し付ける方向に回転し、切換レバーに取り付けられている切換歯車が繰り出しローラ側伝達歯車に噛み合った状態に保持され、回転力が繰り出しローラに伝達される。この結果、ロール紙が繰り出し方向に回転して記録紙が繰り出される。
【００１６】
繰り出しモータが逆方向（記録紙巻取り方向）に回転すると、この場合には、切換機構における入力側歯車が切換レバーを巻取りローラ側伝達歯車に押し付ける方向に回転し、切換レバーが巻取りローラ側伝達歯車の側に旋回して、切換側歯車が巻取りローラ側伝達歯車に噛み合った状態に保持され、回転力が第２回転力伝達経路を介して巻取りローラに伝達される。この結果、ロール紙が巻取り方向に回転して記録紙の巻取りが行われる。
【００１７】
また、ロール紙の側から繰り出しローラに対して記録紙繰り出し方向あるいは記録紙巻取り方向の回転力が作用すると、回転力伝達機構の繰り出しローラ側伝達歯車の側から切換歯車に作用する回転力によって切換レバーが当該伝達歯車から離れる方向に旋回し、ここに支持されている切換歯車が繰り出しローラ側伝達歯車から離れる。よって、繰り出しローラは駆動側の回転負荷を受けることなく、ロール紙に追従して記録紙繰り出し方向あるいは記録紙巻取り方向にスムーズに回転する。同様に、ロール紙の側から巻取りローラに対して記録紙巻取り方向あるいは記録紙繰り出し方向の回転力が作用すると、第２回転力伝達機構の巻取りローラ側伝達歯車の側から切換側歯車に作用する回転力によって、切換レバーが巻取りローラ側伝達歯車から離れる方向に旋回し、ここに支持されている切換歯車が巻取りローラ側伝達歯車から離れる。よって、巻取りローラは駆動側の回転負荷を受けることなく、ロール紙に追従して記録紙巻取り方向あるいは記録紙繰り出し方向にスムーズに回転する。
【００１８】
このように、操作者がロール紙から記録紙を引き出す際に、繰り出しローラ、巻取りローラがブレーキとなってロール紙が回転せずに全体としてロール紙収納部から転がり出てしまうという弊害を防止できる。また、操作者がロール紙収納部に収納されているロール紙を巻き取り方向に回転させる際にも、繰り出しローラ、巻取りローラがブレーキとなって、ロール紙をスムーズに回転させることができないという弊害も防止できる。
【００１９】
一方、本発明のロール紙プリンタは、上記構成のロール紙供給機構を有していることを特徴としている。本発明によれば、ロール紙供給機構のロール紙収納部に入れたロール紙から記録紙を引き出して搬送路にセットするロール紙セット作業を簡単に行うことができる。
【発明の効果】
【００２０】
本発明のロール紙供給機構では、ロール紙収納部に収納したロール紙から記録紙を操作者が引き出す際に、繰り出しローラがブレーキとなってロール紙が回転できずにロール紙収納部から転がり出てしまうという弊害を防止できる。したがって、ロール紙交換時などにおいてロール紙収納部に収納したロール紙から記録紙を引き出して搬送路にセットするロール紙セット作業を簡単な操作により行うことが可能になる。
【発明を実施するための最良の形態】
【００２１】
以下に、図面を参照して、本発明を適用したロール紙プリンタの実施の形態を説明する。
【００２２】
図１は本発明を適用したインクジェット式のロール紙プリンタの概略構成図である。ロール紙プリンタ１は、長尺状の記録紙２ａ（図においては太い一線鎖線で示してある。）をロール状に巻き取った構成のロール紙２が収納されるロール紙供給機構３を有している。ロール紙２から繰り出される長尺状の記録紙２ａは、斜め上方に引き出された後に湾曲状の紙送りガイド４によって湾曲させられた後に水平方向に延びている搬送路５（記録紙２ａを示す一線鎖線と同一の経路）に沿って搬送され、プリンタケース６に形成されている排出口７から排出される。
【００２３】
水平方向に延びている搬送路５の部分はロール紙供給機構３の真上に位置しており、当該搬送路部分には、インクジェットヘッド８およびプラテン９が一定のギャップで対向配置されており、プラテン９によってインクジェットヘッド８の印刷位置１０が規定されている。搬送路５におけるインクジェットヘッド８の下流側には下流側紙送りローラ１１が配置されており、この下流側紙送りローラ１１は紙送りモータ１２によって回転駆動される。この紙送りローラ１１には押えローラ１３が連れ回りするように記録紙２ａを介して押し付けられている。また、インクジェットヘッド８の上流側には、下流側紙送りローラ１１と同期して回転する上流側紙送りローラ１４が配置されており、この上流側紙送りローラ１４には押えローラ１５が連れ回りするように記録紙２ａを介して押し付けられている。排出口７の近傍にはオートカッタ１６が配置されており、印刷後の記録紙２ａの後端部分が所定の長さに幅方向に切断されるようになっている。
【００２４】
紙送りガイド４は所定の範囲で移動可能な状態で不図示のプリンタフレームに取り付けられており、ばね部材１７によって記録紙２ａに張力を与える方向に常に付勢されている。これによって、搬送路５に沿って引き出されている記録紙２ａは一定の引張り状態に保持される。紙送りガイド４の近傍にはガイドセンサ１８が配置されており、記録紙２ａに弛みが発生して紙送りガイド４がばね部材１７による付勢方向に移動すると、この移動がガイドセンサ１８によって検出されるようになっている。
【００２５】
ロール紙供給機構３は、プリンタ幅方向に延び、上方に広がった台形状断面の底板部分３１によって規定されるロール紙収納部３２を備えている。底板部分３１には、繰り出しローラ３３と、２本の巻取りローラ３４、３５が配置されている。一方の巻取りローラ３４は、ロール紙収納部３２に収納されたロール紙２の中心に対して記録紙繰り出し側に配置され、繰り出しローラ３３は反対側に配置されている。他方の巻取りローラ３５は記録紙繰り出し側における巻取りローラ３４よりもロール紙２の中心に近い位置に配置されている。繰り出しローラ３３および巻取りローラ３４、３５は共通の駆動モータ３６によって回転駆動される。
【００２６】
ロール紙２をロール紙収納部３２に入れると、ロール紙２の下側の外周面部分が、繰り出しローラ３３および一方の巻取りローラ３４に載った状態になる。繰り出しローラ３３を記録紙繰り出し方向３３Ａに回転すると、ロール紙２が矢印２Ａで示す方向に回転して記録紙２ａが繰り出される。巻取りローラ３４、３５を記録紙巻取り方向３４Ｂ、３５Ｂに回転すると、ロール紙２が矢印２Ｂで示す方向に回転して記録紙２ａが巻き取られる。
【００２７】
ロール紙２の外径が大きい間は実線の円２（１）で示すように、ロール紙２は繰り出しローラ３３および上方の巻取りローラ３４によって支持された状態にある。ロール紙２の外径が小さくなると、一点鎖線の円２（２）で示すように、ロール紙２は、繰り出しローラ３３、下方の巻取りローラ３５によって支持された状態になる。
【００２８】
ここで、ロール紙プリンタ１の駆動制御部２１は、不図示のコンピュータシステムなどの上位機器からの印刷指令に基づき各部の駆動を制御して印刷動作を行う。印刷動作においては、紙送りモータ１２を駆動して紙送りローラ１１を回転駆動すると共にロール紙供給機構３の駆動モータ３６を回転駆動して、記録紙２ａの搬送動作を行う。また、記録紙２ａの搬送に同期させてインクジェットヘッド８を駆動して印刷位置を通過する記録紙２ａの表面に印刷を施す。印刷終了後においては、オートカッタ１６を駆動して記録紙２ａを切断する。これにより、排出口７からは、記録紙２ａを切断することによって得られる一定長さのレシート、チケットなどが発行されることになる。
【００２９】
また、駆動制御部２１では、ガイドセンサ１８からの検出信号に基づき、記録紙２ａが、弛みが生ずることなく一定の張力状態で搬送されるように、紙送りローラ１１に同期させて、ロール紙供給機構３の繰り出しローラ３３の駆動を制御する。さらに、必要に応じて、巻取りローラ３４、３５を回転させてロール紙２を記録紙巻取り方向２Ｂに回転して、記録紙２ａの弛みを除去する。
【００３０】
（繰り出しローラと巻取りローラの回転力伝達機構）
図２は、ロール紙供給機構３における繰り出しローラ３３と巻取りローラ３４、３５の回転力伝達機構を示す説明図である。回転力伝達機構は、駆動モータ３６の出力軸３６ａに固着した駆動歯車３７と、この駆動歯車３７に大径歯車３８ａが噛み合っている複合歯車３８と、この複合歯車３８の小径歯車３８ｂに大径歯車３９ａが噛み合っている複合歯車３９を備えている。
【００３１】
この複合歯車３９の小径歯車３９ｂには、切換機構４０の入力側歯車４１が噛み合っている。切換機構４０は、この入力側歯車４１と、この入力側歯車４１の回転中心軸線を中心として旋回自在の状態で支持されている旋回式切換レバー４２と、この旋回式切換レバー４２の先端部に回転自在の状態で取り付けられている切換歯車４３とを備えている。切換歯車４３の回転中心軸線は入力側歯車４１の回転中心軸線に平行であり、当該切換歯車４３は常に入力側歯車４１と噛み合っている。
【００３２】
切換歯車４３の一方の側には、繰り出しローラ側伝達歯車４４が配置されている。この繰り出しローラ側伝達歯車４４は、繰り出しローラ３３のローラ軸に同軸状態に固着した繰り出しローラ側従動歯車４５に噛み合っている。切換歯車４３の他方の側には、巻取りローラ側伝達歯車４６が配置されている。この巻取りローラ側伝達歯車４６は、巻取りローラ３４のローラ軸に同軸状態に固着した巻取りローラ側従動歯車４７と、巻取りローラ３５のローラ軸に同軸状態に固着した巻取りローラ側従動歯車４８の双方に噛み合っている。
【００３３】
ここで、切換機構４０の切換歯車４３は、繰り出しローラ側伝達歯車４４に噛み合った旋回位置４３（１）と、巻取りローラ側伝達歯車４６に噛み合った旋回位置４３（２）との間を旋回可能である。また、これらの旋回位置の間においては、いずれの歯車４４、４６にも噛み合っていない浮動状態になる。
【００３４】
この構成の回転力伝達機構においては、駆動モータ３６を矢印で示す第１方向３６Ａに回転すると、複合歯車３８および３９が矢印方向に回転する。複合歯車３９の小径歯車３９ｂに噛み合っている切換機構４０の入力側歯車４１は矢印で示す第１方向４１Ａに回転する。入力側歯車４１は切換歯車４３に噛み合っているので、入力歯車４１が第１方向４１Ａに回転すると、まず、入力歯車４１、切換レバー４２および切換歯車４３が一体となって繰り出しローラ側伝達歯車４４の側に旋回し、切換歯車４３が旋回位置４３（１）に至り、繰り出しローラ側伝達歯車４４に噛み合い状態になる。この後は、駆動モータ３６の側からの回転力が、切換機構４０から繰り出しローラ側伝達歯車４４および繰り出しローラ側従動歯車４５を介して繰り出しローラ３３に伝達される。この結果、繰り出しローラ３３は繰り出し方向３３Ａに回転し、ここに載っているロール紙２を繰り出し方向２Ａに回転する。
【００３５】
ここで、２本の巻取りローラ３４、３５に駆動モータ３６からの回転力を伝達する回転力伝達経路が切換機構４０によって切り離されている。よって、駆動側の回転負荷が作用せず、したがって、ロール紙２の回転に追従して巻取りローラ３４、３５は繰り出し方向にスムーズに回転し、記録紙２ａの繰り出し動作の障害にはならない。
【００３６】
次に、駆動モータ３６を第１方向３６Ａとは逆の方向に回転駆動すると、複合歯車３８、３９が図の矢印方向とは逆向きに回転する。この場合には、切換機構４０の入力側歯車４１は第１方向４１Ａとは逆向きに回転する。入力歯車４１が第１方向４１Ａとは逆向きに回転すると、入力歯車４１、切換レバー４２および切換歯車４３が一体となって巻取りローラ側伝達歯車４６の側に旋回し、入力歯車４１と繰り出しローラ側伝達歯車４４との噛み合いが解除され、しかる後に、入力歯車４１が旋回位置４３（２）に至り、巻取りローラ側伝達歯車４６に噛み合った状態になる。この後は、駆動モータ３６の側からの回転力が、切換機構４０から巻取りローラ側伝達歯車４６および巻取りローラ側従動歯車４７、４８をそれぞれ介して、巻取りローラ３４、３５に伝達される。この結果、巻取りローラ３４、３５が巻取り方向に回転し、ここに載っているロール紙２を巻き取り方向２Ｂに回転する。
【００３７】
この場合においては、繰り出しローラ３３に駆動モータ３６からの回転力を伝達する回転力伝達経路が切換機構４０によって切り離されている。よって、繰り出しローラ３３には駆動側の回転負荷が作用せず、ロール紙２の回転に追従して巻き取り方向にスムーズに回転し、記録紙２ａの巻取り動作の障害にはならない。
【００３８】
一方、ロール紙交換時などにおいては、ロール紙収納部３２に入れた新しいロール紙２から操作者が手作業によって記録紙２ａを引き出して、ロール紙プリンタ１の搬送路５に沿って引き回して、その先端を排出口７から引き出した状態にセットするロール紙セット作業が行われる。ロール紙収納部３２に入れたロール紙２は、繰り出しローラ３３および２本の巻取りローラ３４、３５に載っている。ロール紙２から記録紙２ａを操作者が引き出すと、ロール紙２がこれら３本のローラ３３〜３５に載った状態で繰り出し方向２Ａに回転しようとする。
【００３９】
ここで、切換機構４０の切換歯車４３が繰り出しローラ側伝達歯車４４に噛み合った旋回位置４３（１）にあるとする。この場合には、ロール紙２を繰り出し方向２Ａに回転させることによって、繰り出しローラ３３には繰り出し方向３３Ａの回転力が加わる。この回転力によって繰り出しローラ側伝達歯車４４が図２の矢印で示す方向に回転しようとする。この結果、ここに噛み合っている切換歯車４３が、噛み合いが解除される方向に押し出されるので、繰り出しローラ側伝達歯車４４と切換歯車４３が切り離される。したがって、繰り出しローラ３３は駆動側から切り離され、ロール紙２に追従してスムーズに繰り出し方向３３Ａに回る。よって、繰り出しローラ３３がブレーキとなって、ロール紙２が回転せずに、全体としてロール紙収納部３２から転がり出てしまうという弊害を防止できる。
【００４０】
次に、切換機構４０の切換歯車４３が巻取りローラ側伝達歯車４４に噛み合った旋回位置４３（２）にある場合も、巻取りローラ３４、３５の繰り出し方向への回転によって、これらのローラ３４、３５が駆動側から切り離される。よって、巻取りローラ３４，３５がブレーキとなって、ロール紙２が回転せずに、全体としてロール紙収納部３２から転がり出てしまうという弊害を防止できる。
【００４１】
なお、操作者が手作業によってロール紙収納部３２に収納されているロール紙２を巻取り方向に回して記録紙２ａを巻き取る際にも、切換機構４０が同様に機能し、各ローラ３３〜３５がブレーキとなって巻取り作業をスムーズに行えないという弊害を防止できる。
【００４２】
以上説明したように、本実施の形態に係るロール紙プリンタ１においては、ロール紙収納部３２に収納したロール紙２から記録紙２ａを操作者が引き出す際に、繰り出しローラ３３あるいは巻取りローラ３４、３５がブレーキとなってロール紙２が回転できずにロール紙収納部３２から転がり出てしまうという弊害を防止できる。したがって、ロール紙交換時などにおいてロール紙収納部３２に収納したロール紙２から記録紙２ａを引き出して搬送路５にセットするロール紙セット作業を簡単な操作により行うことが可能になる。
【００４３】
また、ロール紙収納部３２に収納されているロール紙２を巻取り方向に回して記録紙２ａを手作業で巻き取る際においても、繰り出しローラ３３、あるいは巻取りローラ３４，３５がブレーキとなってロール紙２が回転できずにロール紙収納部３２から転がり出てしまうという弊害を防止できる。
【００４４】
（その他の実施の形態）
上記の例では、繰り出しローラ３３と２本の巻取りローラ３４、３５を配置してある。巻取りローラを１本のみとし、回転自在なガイドローラを配置しておくこともできる。また、巻取りローラの代わりに回転自在からガイドローラを配置しておくこともできる。
【００４５】
例えば、巻取りローラのみを備えているロール紙供給機構においては、駆動モータからの回転力を伝達する回転力伝達経路を切り離すための切断機構としてワンウエイクラッチを用いることができる。
【図面の簡単な説明】
【００４６】
【図１】本発明を適用したロールカムプリンタの構成を示す説明図である。
【図２】繰り出しローラと巻取りローラの回転力伝達機構を示す説明図である。
【符号の説明】
【００４７】
１  ロール紙プリンタ、２  ロール紙、２ａ  記録紙、２Ａ  繰り出し方向、２Ｂ  巻取り方向、３  ロール紙供給機構、４  紙送りガイド、５  搬送路、６  プリンタケース、７  排出口、８  インクジェットヘッド、９  プラテン、１０  印刷位置、１１  紙送りローラ、１２  紙送りモータ、１３  押えローラ、１４  送りローラ、１５  押えローラ、１６  オートカッタ、１７  ばね部材、１８  ガイドセンサ、２１  駆動制御部、３１  底板部分、３２  ロール紙収納部、３３  繰り出しローラ、３３Ａ  繰り出し方向、３４，３５  巻取りローラ、３４Ｂ，３５Ｂ  巻取り方向、３６  駆動モータ、３６Ａ  第１方向、３６ａ  出力軸、３７  駆動歯車、３８，３９  複合歯車、４０  切換機構、４１  入力側歯車、４１Ａ  第１方向、４２  切換レバー、４２（１），４２（２）  旋回位置、４３  切換歯車、４４  繰り出しローラ側伝達歯車、４５  繰り出しローラ側従動歯車、４６  巻取りローラ側伝達歯車、４７，４８  巻取りローラ側従動歯車
【図１】
2009096578.tif 000003
【図２】
2009096578.tif 000004